(57)【特許請求の範囲】
【請求項１】
後部は全面開口部となり、前面に直線状開口部を備えた長い溝状の収容部を有する箱形のケースと、上記ケースの収容部内に直線摺動可能に保持され、操作レバーが上記直線状開口部から前面に突出した摺動体と、上記摺動体を保持した長い溝状の収容部を後面から塞ぐ直線状開口部付きで表面円滑な金属薄板の蓋板と、制御回路を備えて上記ケースの後部に取り付けられたプリント基板に装着され、駆動レバーが上記蓋板の直線状開口部を挿通して摺動体後面の穴に嵌合したスライド形電子部品からなり、上記摺動体後面に丸穴を設けて、この丸穴にコイルスプリングとボールを前後動可能に挿入し、ボールが弾接する上記蓋板の所定の位置に上記摺動体の摺動方向と直角に上記ボール径より狭いスリットを設けた節度機能を有するスライド形電子部品を用いた制御装置。
【請求項２】
蓋板に設けるボール径よりも狭い節度機能用のスリットを、大きな節度が必要な位置は広い幅に、小さい節度が必要な位置は狭い幅とした請求項１記載のスライド形電子部品を用いた制御装置。
【請求項３】
摺動体後面に設けたコイルスプリングとボールを挿入する丸穴の入り口部をボール径よりも小さくし、丸穴に挿入されたボールの先端が摺動体の後面から突出するようにした請求項１または２記載のスライド形電子部品を用いた制御装置。
【請求項４】
摺動体を成形樹脂で成形し後面に設けたコイルスプリングとボールを挿入する丸穴を、ボール挿入丸穴の両側に細長い切り込み部を設けた形状とし、成形金型の上記丸穴形成用の先端部よりも根元が細くなったピンを成形金型分割時に強制引き抜きして形成するようにした請求項３記載のスライド形電子部品を用いた制御装置。
【請求項５】
ケースの直線状開口部を備えた長い溝状の収容部内に、直線状開口部と平行な直線状凹凸部を設けてグリス溜めとした請求項１〜４いずれか一つ記載のスライド形電子部品を用いた制御装置。
【請求項６】
摺動体の直線摺動距離を規制するストッパー部をケースの直線状開口部端部の突部とした請求項１〜５いずれか一つ記載のスライド形電子部品を用いた制御装置。
【請求項７】
摺動体の直線摺動距離を規制するストッパー部を蓋板の直線状開口部端部とした請求項１〜５いずれか一つ記載のスライド形電子部品を用いた制御装置。
【請求項８】
ケースの長い溝状の収容部に保持された摺動体後面の穴の摺動方向端部にテーパを設けると共に、摺動体を摺動終端部においた状態で、スライド形電子部品の駆動レバーを後方から摺動体後面の穴に挿入できるように導く案内用テーパ部を蓋板の直線状開口部端部に設けた請求項１〜７いずれか一つ記載のスライド形電子部品を用いた制御装置。
【発明の詳細な説明】
【０００１】
【発明の属する技術分野】
本発明はオーディオ機器、自動車の空調機器などを制御する際等に使用されるスライド形電子部品を用いた制御装置に関するものである。
【０００２】
【従来の技術】
従来の技術を、スライド形可変抵抗器を用いた自動車の空調制御装置を例として、図９および図１０を用いて説明する。
【０００３】
図９（ａ）は従来の同装置のスライド形可変抵抗器の操作機構を示す正面図、同（ｂ）は同（ａ）のＡ−Ａ線における断面図である。
【０００４】
同図において１は民生用のスライド形可変抵抗器で、他の電子部品２とともに空調制御装置の制御回路を形成するプリント基板３に装着されている。４は後面に開口部を有する空調制御装置の箱形のケースで、このケース４の後面の開口部側よりプリント基板３は装着され、スライド形可変抵抗器１の駆動レバー１Ａの先端はケース４の前面に設けられた直線状開口部４Ａに摺動可能に貫通されるとともに、スライド形可変抵抗器１の駆動レバー１Ａの先端には操作ツマミ５が取り付けられている。
【０００５】
次に、この空調制御装置の操作ツマミ５の摺動操作による動作について説明する。
【０００６】
操作ツマミ５を摺動操作すると、駆動レバー１Ａによりスライド形可変抵抗器１内に構成された節度部による節度を伴って、スライド形可変抵抗器１の駆動レバー１Ａと一体形成された摺動体（図示せず）が連動して摺動することによって出力抵抗値が変化し、スライド形可変抵抗器１に接続されたプリント基板３の制御回路により自動車の空調制御装置の制御を行うものである。
【０００７】
【発明が解決しようとする課題】
しかしながら上記自動車の空調制御装置やオーディオ機器等に使用されるスライド形電子部品を用いた制御装置は、装置の高級化指向が進む中、質感のある操作力（重量感）や操作範囲によって節度の大きさを変えることが要求されており、これらの対応方法としては、一般に使用される操作力の軽い民生用スライド形可変抵抗器１に代え、専用の操作力および節度を有する専用のスライド形可変抵抗器６を新たに製作し、これを取り付けて対応していた。
【０００８】
しかし、図９（ｂ）に示すように、空調制御装置のケース４へのプリント基板３の取り付け位置が、他の電子部品２の高さの制約によりケース４の前面部へ寄せることができない場合、スライド形可変抵抗器１で操作力（重量感）や節度感を大きくした場合、スライド形可変抵抗器１の駆動レバー１Ａと一体形成された摺動体の動作力が大きくなるので、駆動レバー１Ａの先端の操作ツマミ５を押す力との間に生じるねじりモーメントが大きくなり、こじれ感を生じ操作感触がスムーズでなくなるという課題があった。
【０００９】
そして、これを防止するために、図１０に示すようにスライド形可変抵抗器６をケース４の前面部へ寄せるためにプリント基板３を分割して取り付ける必要があり、組み立て性および価格面で不利なものになっていた。
【００１０】
本発明はこのようなスライド形電子部品を用いた制御装置について、一般に使用される安価な民生用スライド形可変抵抗器を用いて質感のある操作力（重量感）や各種要望の節度条件に対応でき、しかもスムーズに操作することができるスライド形電子部品を用いた制御装置を提供することを目的とするものである。
【００１１】
【課題を解決するための手段】
上記課題を解決するために本発明のスライド形電子部品を用いた制御装置は、スライド形電子部品を使用する機器のケース前面に、各種の操作感触に対応の容易な操作レバー付きのスライド操作機構を設け、この操作機構を介してスライド形電子部品を操作する構成としたものである。
【００１２】
これにより、安価な標準品のスライド形電子部品を用いて各種の操作感触の要望に対応でき、しかもスムーズに操作することができる優れたスライド形電子部品を用いた制御装置が得られる。
【００１３】
【発明の実施の形態】
本発明の請求項１に記載の発明は、後部は全面開口部となり、前面に直線状開口部を備えた長い溝状の収容部を有する箱形のケースと、上記ケースの収容部内に直線摺動可能に保持され、操作レバーが上記直線状開口部から前面に突出した摺動体と、上記摺動体を保持した長い溝状の収容部を後面から塞ぐ直線状開口部付きで表面円滑な金属薄板の蓋板と、制御回路を備えて上記ケースの後部に取り付けられたプリント基板に装着され、駆動レバーが上記蓋板の直線状開口部を挿通して摺動体後面の穴に嵌合したスライド形電子部品からなり、上記摺動体後面に丸穴を設けて、この丸穴にコイルスプリングとボールを前後動可能に挿入し、ボールが弾接する上記蓋板の所定の位置に上記摺動体の摺動方向と直角に上記ボール径より狭いスリットを設けた節度機能を有する構成としたものであり、一般に使用される標準的なスライド形電子部品を用いて、質感のある操作力（重量感）や節度等の各種の操作感触の要望に容易に対応できてスムーズに操作することができるという作用を有する。
【００１６】
請求項２に記載の発明は、請求項１記載の発明において、蓋板に設けるボール径よりも狭い節度機能用のスリットを、大きな節度が必要な位置は広い幅に、小さい節度が必要な位置は狭い幅とした構成としたものであり、操作ツマミの節度の大きさや位置を変える場合や、節度の数の変更に対して容易に対応できるという作用を有する。
【００１７】
請求項３に記載の発明は、請求項１または２記載の発明において、摺動体後面に設けたコイルスプリングとボールを挿入する丸穴の入り口部をボール径よりも小さくし、丸穴に挿入されたボールの先端が摺動体の後面から突出するようにした構成としたものであり、あらかじめ摺動体へのコイルスプリングとボールを挿入保持した仕掛品状態で保管ができるとともに、組み立て時のボール外れを防止できるので、組み立て作業性の向上が図れるという作用を有する。
【００１８】
請求項４に記載の発明は、請求項３記載の発明において、摺動体を成形樹脂で成形し後面に設けたコイルスプリングとボールを挿入する丸穴を、ボール挿入丸穴の両側に細長い切り込み部を設けた形状とし、成形金型の上記丸穴形成用の先端部よりも根元が細くなったピンを成形金型分割時に強制引き抜きして形成するようにした構成としたものであり、成形金型の構造を複雑にすることなく、ボール挿入丸穴の両側の細長い切り込み部を一体に設けることにより、ピンを大きくできるので成形金型の強制引き抜き時にピンの破損防止が図れるとともに、ボール挿入丸穴の切り込み部近傍が弾性を有するので、ボールをボール挿入丸穴に挿入の際に、無理なく挿入できるという作用を有する。
【００１９】
請求項５に記載の発明は、請求項１〜４いずれか一つ記載の発明において、ケースの直線状開口部を備えた長い溝状の収容部内に、直線状開口部と平行な直線状凹凸部を設けてグリス溜めとした構成としたものであり、摺動体の摺動範囲全域に亘って摺動グリスを一定に供給でき、ケース前面の直線状開口部から少し離してこの直線状凹凸部を設けることにより、ケースの前面部および操作ツマミへの摺動グリスの流出を防止できるという作用を有する。
【００２０】
請求項６に記載の発明は、請求項１〜５いずれか一つ記載の発明において、摺動体の直線摺動距離を規制するストッパー部をケースの直線状開口部端部の突部とした構成としたものであり、ケース前面の機能表示部に対し、摺動体の移動量を機能表示部とのズレなく規制できるとともに、突部で当てることにより摺動体を終端部へ移動させた時の異音を防止でき、摺動体を終端部から始動時にスムーズに操作できるという作用を有する。
【００２１】
請求項７に記載の発明は、請求項１〜５いずれか一つ記載の発明において、摺動体の直線摺動距離を規制するストッパー部を蓋板の直線状開口部端部とした構成としたものであり、スライド形電子部品の移動量を変更しなくても、摺動体の移動量の変更対応が容易にできるとともに、摺動体を終端部へ移動させた時の異音を防止でき、摺動体を終端部から始動時にスムーズに操作できるという作用を有する。
【００２２】
請求項８に記載の発明は、請求項１〜７いずれか一つ記載の発明において、ケースの長い溝状の収容部に保持された摺動体後面の穴の摺動方向端部にテーパを設けると共に、摺動体を摺動終端部においた状態で、スライド形電子部品の駆動レバーを後方から摺動体後面の穴に挿入できるように導く案内用テーパ部を蓋板の直線状開口部端部に設けた構成としたものであり、摺動体の穴へのスライド形電子部品の駆動レバーの挿入が迅速に確実にできるため組み立て作業性が向上できるという作用を有する。
【００２３】
以下、本発明の実施の形態について、スライド形可変抵抗器を用いた自動車の空調制御装置を例として図１から図８を用いて説明する。
【００２４】
（実施の形態１）
図１は本発明の第１の実施の形態によるスライド形電子部品を用いた自動車の空調制御装置を示す断面図、図２は同分解斜視図であり、本実施の形態において、上記従来技術で説明した構成部分と同じ部分については同じ符号を付して説明を省略する。
【００２５】
同図において１１は後部が全面開口部となり、前面に直線状開口部１１Ａを備えた長い溝状の収容部１１Ｂを有する箱形のケースで、このケース１１の長い溝状の収容部１１Ｂ内には操作レバー１２Ａが直線状開口部１１Ａから前面に突出するように摺動体１２が直線摺動可能に保持され、この摺動体１２を保持した長い溝状の収容部１１Ｂを後面から直線状開口部１３Ａ付きの蓋板１３により塞ぐとともに、ケース１１の後部に取り付けられるプリント基板３に装着された、スライド形可変抵抗器１の駆動レバー１Ａが蓋板１３の直線状開口部１３Ａを挿通して摺動体１２の後面の穴１２Ｂに嵌合しており、摺動体１２の操作レバー１２Ａの先端には操作ツマミ５が取り付けられている。
【００２６】
図１および図２には摺動体１２にコイルスプリング１４とボール１５を挿入する節度付きの場合を示しているが、節度が不要な場合については、摺動体１２にコイルスプリング１４とボール１５を挿入しないで、摺動体１２とケース１１の長い溝状の収容部１１Ｂおよび蓋板１３の摺動面には粘性の高い摺動グリスを塗布して、質量感のある摺動力を生じさせれば良いものである。
【００２７】
なお、蓋板１３の材料に剛性のある金属薄板（厚さ０．４mm程度のもの）を用いることにより、摺動体１２の操作レバー１２Ａに加わる操作ツマミ５の操作時の押し力または操作ツマミ５への操作時以外の押し力がこの金属薄板よりなる蓋板１３で受けられ、直接スライド形可変抵抗器１に押し力が加わらないので、スライド形可変抵抗器１が損傷を受けないようになっている。
【００２８】
次に、この空調制御装置の第１の実施の形態である節度を有しない場合について操作ツマミ５の摺動操作による動作について説明する。
【００２９】
操作ツマミ５を摺動操作すると、操作レバー１２Ａは摺動体１２とケース１１の収容部１１Ｂおよび蓋板１３間で生じる質量感を伴って摺動するとともに、駆動レバー１Ａを介してスライド形可変抵抗器１の駆動レバー１Ａと一体形成された摺動体（図示せず）が連動して動くことにより、出力抵抗値が変化し、スライド形可変抵抗器１に接続されたプリント基板３の制御回路により自動車の空調制御装置の制御を行うものである。
【００３０】
なお、スライド形可変抵抗器１は、スライド形開閉器等のスライド形電子部品全てに転用することが可能であり、同様の効果が得られる。
【００３１】
（実施の形態２）
さらに、本発明の第２の実施の形態である節度感を伴う場合のスライド形電子部品を用いた自動車の空調制御装置を上記で説明した図１の断面図および図２の同分解斜視図を用いて説明すると、同図に示すように摺動体１２後面の丸穴１２Ｃにコイルスプリング１４とボール１５を前後動可能に挿入し、ボール１５が弾接する蓋板１３の所定の位置に摺動方向と直角にボール径より狭いスリット１３Ｂを設けた節度機能を有しているものである。
【００３２】
また、動作についても第１の実施の形態と同様に操作ツマミ５を摺動操作すると、操作レバー１２Ａにより摺動体１２と蓋板１３間の節度機能による節度を伴いながら摺動するものである。
【００３３】
なお、図３の蓋板１３の正面図に示すように、蓋板１３に設けるボール１５径よりも狭い節度用スリット１３Ｂを、大きな節度が必要な位置は広いスリット幅１３Ｂ１に、小さな節度が必要な位置は狭いスリット幅１３Ｂ２とすることにより、操作ツマミ５の操作範囲によって節度の大きさを変えたい場合に、これら任意の位置に大きさの異なる節度を実現し、操作力に変化を設けることができる。
【００３４】
さらに、蓋板１３の節度用スリット１３Ｂによる節度機能の節度と、スライド形可変抵抗器１の節度感による節度を併設することにより、任意の位置に大きさの異なる節度を実現でき、操作力に変化を設けることができる。
【００３５】
（実施の形態３）
図４（ａ）は本発明の第３の実施の形態によるスライド形電子部品を用いた自動車の空調制御装置に用いられる摺動体１２の側面断面図、同（ｂ）は同背面図であり、同図に示すように摺動体１２の後面に設けたコイルスプリング１４とボール１５を挿入する丸穴１２Ｃの入り口部をボール１５径よりも小さくする突起部１２Ｄを設け、ボール１５の先端が摺動体１２の後面から突出するように設定することにより、あらかじめ摺動体１２へのコイルスプリング１４とボール１５を挿入保持させておくことが可能となり、組み立て途中の仕掛品状態で保管できるとともに、組み立て時のボール１５の外れによる組み立て作業のロスを防止することができるものである。
【００３６】
また、摺動体１２を成形樹脂で成形し、後面に設けたコイルスプリング１４とボール１５を挿入する丸穴１２Ｃを図５に示すようにボール１５を挿入丸穴１２Ｃの両側に細長い切り込み部１２Ｅを設けた形状として、図６の摺動体１２の成形金型の断面図に示すように、成形金型の摺動体１２の丸穴１２Ｃ形成用の先端部１６Ｃ１よりも根元部１６Ｃ２が細くなったピン１６Ｃを大きくして補強しておくことにより、成形金型の上金型１６Ａと下金型１６Ｂの分割時に強制引き抜きして形成することができ、成形金型の構造を複雑にすることなく、上記摺動体１２の形状を形成することができ、低価格にすることが可能となる。
【００３７】
（実施の形態４）
図７（ａ）は本発明の第４の実施の形態によるスライド形電子部品を用いた自動車の空調制御装置に用いられるケース１１の背面図、同（ｂ）は同（ａ）のＢ−Ｂ線における断面図であり、同図に示すようにケース１１の直線状開口部１１Ａを備えた長い溝状の収容部１１Ｂ内に、直線状開口部１１Ａと平行な直線状凹凸部１１Ｃを設けることにより、摺動体１２とケース１１の長い溝状の収容部１１Ｂ内の摺動部全域に亘って摺動グリスを一定に供給でき、ケース１１前面の直線状開口部１１Ａから少し離してこの直線状凹凸部１１Ｃを設けることにより、ケース１１の前面部および操作ツマミ５への流出を防止することができるものである。
【００３８】
（実施の形態５）
図７（ａ）は本発明の第５の実施の形態によるスライド形電子部品を用いた自動車の空調制御装置を示すケース１１の背面図、同（ｂ）は同（ａ）のＢ−Ｂ線における断面図であり、同図に示すように摺動体１２の直線摺動距離を規制するストッパー部をケース１１の直線状開口部１１Ａ端部の近傍に設けた突部１１Ｄとしたものであり、摺動体１２の直線摺動距離を規制し、摺動体１２の終端部での接触面を小さい（２〜４平方mm）構成にすることにより、摺動体１２を終端部に移動させた時に発生する異音を防止できるとともに、摺動体１２を終端部から始動させる時に、摺動グリスの密着による始動操作力の増大を防止し、スムーズに操作することができるものである。
【００３９】
（実施の形態６）
また、上記実施の形態５における摺動体１２の直線摺動距離を規制するストッパー部をケース１１の突部１１Ｄに設けた構成に代え、蓋板１３の直線状開口部１３Ａ端部に設けた構成とすることにより、スライド形可変抵抗器１の移動量を変更しなくても摺動体１２の移動量の変更対応が容易にできるとともに、摺動体１２を終端部へ移動させた時の異音を防止でき、摺動体１２を終端部から始動時にスムーズに操作できるという作用を有する。
【００４０】
（実施の形態７）
図８は本発明の第７の実施の形態によるスライド形電子部品を用いた自動車の空調制御装置において、摺動体１２にスライド形可変抵抗器１を装着する状態を示した要部断面平面図であり、同図に示すようにケース１１の長い溝状の収容部１１Ｂに保持された摺動体１２後面の穴１２Ｂの摺動方向端部にテーパ１２Ｆを設けるとともに、蓋板１３の直線状開口部１３Ａ端部に案内用テーパ部１３Ｃを設けたものであり、スライド形可変抵抗器１の駆動レバー１Ａおよび摺動体１２を摺動終端部においた状態で、その駆動レバー１Ａを後方から摺動体１２後面の穴１２Ｂに容易に挿入できるので、本発明の摺動体１２にスライド形可変抵抗器１を組み合わせる場合の作業性を向上することができるものである。
【００４１】
【発明の効果】
以上のように本発明によれば、一般に使用される標準的なスライド形電子部品を用いて各種の操作感触の要望に対応ができ、しかもスムーズに操作することができるスライド形電子部品の操作機構が得られるとともに、標準化による低価格化および組み立て作業性の向上が図れるという効果を有する。
【図面の簡単な説明】
【図１】本発明の第１の実施の形態によるスライド形電子部品を用いた自動車の空調制御装置を示す断面図
【図２】同分解斜視図
【図３】本発明の第２の実施の形態による蓋板の正面図
【図４】（ａ）本発明の第３の実施の形態による摺動体の側面断面図
（ｂ）同背面図
【図５】同摺動体の背面図
【図６】同摺動体の成形金型の断面図
【図７】（ａ）本発明の第４および５の実施の形態によるケースの部分背面図
（ｂ）同（ａ）のＢ−Ｂ線における断面図
【図８】本発明の第７の実施の形態による摺動体にスライド形可変抵抗器を装着する状態を示す要部断面平面図
【図９】（ａ）従来のスライド形電子部品を用いた自動車の空調制御装置を示す正面図
（ｂ）同（ａ）のＡ−Ａ線における断面図
【図１０】他の従来例を示す断面図
【符号の説明】
１  スライド形可変抵抗器
１Ａ  駆動レバー
２  他の電子部品
３  プリント基板
５  操作ツマミ
１１  ケース
１１Ａ  直線状開口部
１１Ｂ  長い溝状の収容部
１１Ｃ  直線状凹凸部
１１Ｄ  突部
１２  摺動体
１２Ａ  操作レバー
１２Ｂ  穴
１２Ｃ  丸穴
１２Ｄ  丸穴の入り口部の突起部
１２Ｅ  切り込み部
１２Ｆ  テーパ
１３  蓋板
１３Ａ  直線状開口部
１３Ｂ  スリット
１３Ｂ１  広いスリット幅
１３Ｂ２  狭いスリット幅
１３Ｃ  案内用テーパ部
１４  コイルスプリング
１５  ボール
１６Ａ  上金型
１６Ｂ  下金型
１６Ｃ  ピン
１６Ｃ１  先端部
１６Ｃ２  根元部
【図１】
0003648837.tif 000002
【図２】
0003648837.tif 000003
【図３】
0003648837.tif 000004
【図４】
0003648837.tif 000005
【図５】
0003648837.tif 000006
【図６】
0003648837.tif 000007
【図７】
0003648837.tif 000008
【図８】
0003648837.tif 000009
【図９】
0003648837.tif 000010
【図１０】
0003648837.tif 000011